(57)【要約】【課題】本発明の課題は、アキュムレータの固有振動特性のばらつきを低減して、製品音のばらつきを生じにくい圧縮機を提供することにある。【解決手段】圧縮機１は、圧縮機本体２と、圧縮機本体２に固定される支持部材３と、円筒状のアキュムレータ４と、アキュムレータ４の外周に巻き付けられる緩衝ゴム部材５と、締結バンド６とを有している。締結バンド６は、支持部材３と緩衝ゴム部材５とが接触した状態でアキュムレータ４を支持部材３に押さえつける。支持部材３の接触面、又は、緩衝ゴム部材５の接触面は、支持部材３と緩衝ゴム部材５とが接触していない状態において、アキュムレータ４の中心軸を縦軸としたときの縦断面視において、接触する相手側に向かって突出するように湾曲している。【選択図】図３
2010275969.tif 000002
【特許請求の範囲】
【請求項１】
圧縮機本体（２）と、
前記圧縮機本体に固定される支持部材（３）と、
円筒状のアキュムレータ（４）と、
前記アキュムレータの外周に巻き付けられる緩衝ゴム部材（５）と、
前記支持部材と前記緩衝ゴム部材とが接触した状態で前記アキュムレータを前記支持部材に押さえつける締結バンド（６）とを備え、
前記支持部材の接触面、又は、前記緩衝ゴム部材の接触面は、前記支持部材と前記緩衝ゴム部材とが接触していない状態において、前記アキュムレータの中心軸を縦軸としたときの縦断面視において、接触する相手側に向かって突出するように湾曲している、
圧縮機（１）。
【請求項２】
前記支持部材（３）の接触面が前記緩衝ゴム部材（５）側に向かって突出するように湾曲している場合には、前記支持部材の接触面は、前記緩衝ゴム部材の厚みの１０倍以上の曲率半径の曲面を有するように湾曲している、請求項１に記載の圧縮機（１）。
【請求項３】
前記緩衝ゴム部材（５）の接触面が前記支持部材（３）側に向かって突出するように湾曲している場合には、前記緩衝ゴム部材の接触面は、前記緩衝ゴム部材の最小厚みの１倍以上の曲率半径の曲面を有するように湾曲している、請求項１に記載の圧縮機（１）。
【発明の詳細な説明】
【技術分野】
【０００１】
本発明は、圧縮機、特に、アキュムレータが圧縮機本体に固定された支持部材に緩衝ゴム部材を介して締結バンドによって固定されている圧縮機に関する。
【背景技術】
【０００２】
従来より、特許文献１（特開平１１−１３６６６号）に示されるような圧縮機がある。この圧縮機は、主として、圧縮機本体と、圧縮機本体に固定される支持部材と、円筒状のアキュムレータと、アキュムレータの外周に巻き付けられる緩衝ゴム部材と、締結バンドとを有している。締結バンドは、支持部材と緩衝ゴム部材とが接触した状態でアキュムレータを支持部材に押さえつける。
【発明の概要】
【発明が解決しようとする課題】
【０００３】
上記従来の圧縮機では、各部材の寸法公差や取り付け精度等の要因によってアキュムレータの支持部材への取り付け位置のばらつきが生じやすいため、支持部材の接触面と緩衝ゴム部材との接触面との接触位置が安定しにくい。これにより、上記従来の圧縮機では、アキュムレータの固有振動特性がばらつき、その結果、圧縮機の製品音のばらつきが生じやすいという問題がある。
【０００４】
本発明の課題は、アキュムレータの固有振動特性のばらつきを低減して、製品音のばらつきを生じにくい圧縮機を提供することにある。
【課題を解決するための手段】
【０００５】
第１の発明にかかる圧縮機は、圧縮機本体と、圧縮機本体に固定される支持部材と、円筒状のアキュムレータと、アキュムレータの外周に巻き付けられる緩衝ゴム部材と、締結バンドとを有している。締結バンドは、支持部材と緩衝ゴム部材とが接触した状態でアキュムレータを支持部材に押さえつける。支持部材の接触面、又は、緩衝ゴム部材の接触面は、支持部材と緩衝ゴム部材とが接触していない状態において、アキュムレータの中心軸を縦軸としたときの縦断面視において、接触する相手側に向かって突出するように湾曲している。
【０００６】
この圧縮機では、支持部材の接触面又は緩衝ゴム部材の接触面を接触する相手側に向かって突出するように湾曲させることによって、アキュムレータの支持部材への取り付け位置がばらついたとしても、支持部材と緩衝ゴム部材とが湾曲によって突出した部分において確実に接触して支持部材と緩衝ゴム部材との接触位置が安定するようにしている。これにより、この圧縮機では、アキュムレータの固有振動特性のばらつきが低減され、製品音のばらつきを生じにくくすることができる。
【０００７】
第２の発明にかかる圧縮機は、第１の発明にかかる圧縮機において、支持部材の接触面が緩衝ゴム部材側に向かって突出するように湾曲している場合には、支持部材の接触面は、緩衝ゴム部材の厚みの１０倍以上の曲率半径の曲面を有するように湾曲している。
【０００８】
支持部材の接触面が緩衝ゴム部材側に向かって突出するように湾曲している場合において、支持部材の接触面の湾曲の度合いが急峻すぎると、緩衝ゴム部材の損傷が生じるおそれがある。
【０００９】
そこで、この圧縮機では、支持部材の接触面の湾曲の度合いを緩衝ゴム部材の厚みの１０倍以上の曲率半径の曲面を有する程度の緩やかなものにすることによって、緩衝ゴム部材の損傷が生じにくくなるようにしている。
【００１０】
第３の発明にかかる圧縮機は、第１の発明にかかる圧縮機において、緩衝ゴム部材の接触面が支持部材側に向かって突出するように湾曲している場合には、緩衝ゴム部材の接触面は、緩衝ゴム部材の最小厚みの１倍以上の曲率半径の曲面を有するように湾曲している。
【００１１】
緩衝ゴム部材の接触面が支持部材側に向かって突出するように湾曲している場合において、緩衝ゴム部材の接触面の湾曲の度合いが急峻すぎると、緩衝ゴム部材の損傷が生じるおそれがある。
【００１２】
そこで、この圧縮機では、緩衝ゴム部材の接触面の湾曲の度合いを緩衝ゴム部材の最小厚みの１倍以上の曲率半径の曲面を有する程度の緩やかなものにすることによって、緩衝ゴム部材が損傷を生じにくくなるようにしている。
【発明の効果】
【００１３】
以上の説明に述べたように、本発明によれば、以下の効果が得られる。
【００１４】
第１の発明では、アキュムレータの固有振動特性のばらつきが低減され、製品音のばらつきを生じにくくすることができる。
【００１５】
第２及び第３の発明では、緩衝ゴム部材の損傷を生じにくくすることができる。
【図面の簡単な説明】
【００１６】
【図１】本発明の第１及び第２実施形態にかかる圧縮機の概略正面図である。
【図２】図１のＩ−Ｉ断面図（但し、圧縮機本体内の部品及びアキュムレータ内の部品は図示せず）である。
【図３】図１に示されるアキュムレータ支持構造（但し、緩衝ゴム部材を２点鎖線で図示し、締結バンドを図示せず）をＩＩ方向から見た斜視図である。
【図４】図３のＩＩＩ−ＩＩＩ断面及びＩＶ−ＩＶ断面を示す図である。
【図５】本発明の第２実施形態にかかる圧縮機のアキュムレータ支持構造（但し、緩衝ゴム部材を２点鎖線で図示し、締結バンドを図示せず）を示す図であり、図３に相当する図である。
【図６】図５のＩＩＩ−ＩＩＩ断面及びＩＶ−ＩＶ断面を示す図である。
【発明を実施するための形態】
【００１７】
以下、本発明にかかる圧縮機の実施形態について、図面に基づいて説明する。
【００１８】
＜第１実施形態＞
（１）圧縮機の基本構成
図１は、本発明の第１実施形態にかかる圧縮機１の概略正面図である。図２は、図１のＩ−Ｉ断面図（但し、圧縮機本体２内の部品及びアキュムレータ４内の部品は図示せず）である。
【００１９】
圧縮機１は、ここでは、蒸気圧縮式の冷媒回路において、冷凍サイクルにおける低圧の冷媒を高圧まで圧縮するために使用される密閉型圧縮機である。圧縮機１は、主として、圧縮機本体２と、支持部材３と、円筒状のアキュムレータ４と、緩衝ゴム部材５と、締結バンド６とを有している。
【００２０】
圧縮機本体２は、主として、縦型円筒状の密閉ケーシング２１と、密閉ケーシング２１内に収容されたモータ（図示せず）及び圧縮要素（図示せず）とを有している。
【００２１】
支持部材３は、圧縮機本体２に固定される金属製の板状部材である。より具体的には、支持部材３は、圧縮機本体２の側面、すなわち、密閉ケーシング２１の円筒部分の外周面に固定されている。支持部材３は、主として、固定部３１と、延出部３２、３３と、接触部３４、３５と、折り返し部３６、３７とを有している。固定部３１は、密閉ケーシング２１の円筒部分の外周面に沿う板状部分であり、溶接等によって密閉ケーシング２１の円筒部分に固定されている。延出部３２、３３は、圧縮機１の平面視において、固定部３１の両端からアキュムレータ４側に向かって延びる板状部分である。接触部３４、３５は、圧縮機１の平面視において、延出部３２、３３の端部からアキュムレータ４の円筒部分の外周面に沿う板状部分である。折り返し部３６、３７は、圧縮機１の平面視において、接触部３４、３５の端部から圧縮機本体２側に折り返される板状部分である。折り返し部３６、３７の一方である第１折り返し部３６には、略長方形状の角穴３６ａが形成されている。折り返し部３６、３７の他方である第２折り返し部３７には、ねじ穴３７ａが形成されている。
【００２２】
アキュムレータ４は、圧縮機本体２に吸入される冷凍サイクルにおける低圧の冷媒や冷凍機油の気液分離やこれらの一時的な貯留を行うことが可能な縦型円筒状の容器である。ここで、アキュムレータ４の中心軸線Ｏ−Ｏは、鉛直下方を向いている。アキュムレータ４の下端には、圧縮機本体２の吸入口に接続される出口管４１が設けられている。
【００２３】
緩衝ゴム部材５は、アキュムレータ４の外周に巻き付けられる環状のゴム製の部材である。より具体的には、緩衝ゴム部材５は、アキュムレータ４の側面、すなわち、円筒部分の外周面に巻き付けられている。
【００２４】
締結バンド６は、支持部材３と緩衝ゴム部材５とが接触した状態でアキュムレータ４を支持部材３に押さえつける金属製の板状部材である。より具体的には、締結バンド６は、支持部材３の接触部３４、３５の緩衝ゴム部材５側の面である接触面３８、３９が緩衝ゴム部材５の外周面である接触面５１、５２に接触した状態でアキュムレータ４を支持部材３に押さえつける。締結バンド６は、主として、バンド本体部６１と、係止爪部６２と、バンド固定部６３とを有している。バンド本体部６１は、アキュムレータ４の外周に巻き付けられた状態の緩衝ゴム部材５の外周に巻き付けられる板状部分である。バンド本体部６１は、圧縮機１の平面視において、略円弧状である。係止爪部６２は、圧縮機１の平面視において、バンド本体部６１の両端のうち支持部材３の第１折り返し部３６に対向する側の端部から圧縮機本体２側に延びた後にアキュムレータ４側に折り返される板状部分である。係止爪部６２は、角穴３６ａによって第１折り返し部３６に係止されている。バンド固定部６３は、圧縮機１の平面視において、バンド本体部６１の両端のうち支持部材３の第２折り返し部３７に対向する側の端部から第２折り返し部３７に沿って延びる板状部分である。バンド固定部６３には、第２折り返し部３７のねじ穴３７ａに対向するねじ穴６３ａが形成されている。バンド固定部６３は、ねじ穴３７ａ、６３ａに螺合するネジ（図示せず）によって支持部材３の第２折り返し部３７に固定されている。
【００２５】
以上のように、この圧縮機１は、アキュムレータ４が圧縮機本体２に固定された支持部材３に緩衝ゴム部材５を介して締結バンド６によって固定された構成となっている。そして、支持部材３、緩衝ゴム部材５及び締結バンド６は、圧縮機本体２にアキュムレータ４を支持させるためのアキュムレータ支持構造を構成している。
【００２６】
（２）アキュムレータ支持構造の詳細な構成
上記のような基本構成を有する圧縮機１では、各部材の寸法公差や取り付け精度等の要因によってアキュムレータ４の支持部材３への取り付け位置のばらつきが生じやすい。これにより、支持部材３の接触面３８、３９と緩衝ゴム部材５との接触面５１、５２との接触位置が安定しにくくなり、アキュムレータ４の固有振動特性がばらつき、その結果、圧縮機１の製品音のばらつきが生じやすい傾向にある。このため、アキュムレータ４の固有振動特性のばらつきを低減して、圧縮機１の製品音のばらつきを生じにくくすることが好ましい。
【００２７】
そこで、この圧縮機１では、図３及び図４に示すように、支持部材３と緩衝ゴム部材５とが接触していない状態において、アキュムレータ４の中心軸線Ｏ−Ｏを縦軸としたときの縦断面視において、支持部材３の接触面３８、３９を、接触する相手側である緩衝ゴム部材５の接触面５１、５２に向かって突出するように湾曲させるようにしている。ここで、図３は、図１に示されるアキュムレータ支持構造（但し、緩衝ゴム部材５を２点鎖線で図示し、締結バンド６を図示せず）をＩＩ方向から見た斜視図である。図４は、図３のＩＩＩ−ＩＩＩ断面及びＩＶ−ＩＶ断面を示す図である。
【００２８】
より具体的には、支持部材３の接触部３４、３５の接触面３８、３９は、アキュムレータ４の中心軸線Ｏ−Ｏを縦軸としたときの縦断面視において、接触する相手側である緩衝ゴム部材５の接触面５１、５２に向かって突出するように湾曲している。この接触面３８、３９の湾曲は、アキュムレータ４の円周方向に一様に形成されている。尚、接触面３８、３９の湾曲は、支持部材３を製造する際のプレス加工等によって形成されている。これに対して、緩衝ゴム部材５の接触面５１、５２は、アキュムレータ４の中心軸線Ｏ−Ｏを縦軸としたときの縦断面視において、凹凸のない平坦な面である。
【００２９】
また、ここでは、支持部材３の接触面３８、３９の湾曲の度合いを、緩衝ゴム部材５の厚みｔ１の１０倍以上の曲率半径Ｒ１の曲面を有するものとしている。ここで、緩衝ゴム部材５の厚みｔ１は、自由状態における厚みである。
【００３０】
（３）圧縮機の特徴
本実施形態の圧縮機１には、以下のような特徴がある。
【００３１】
（Ａ）
本実施形態の圧縮機１では、支持部材３の接触面３８、３９を接触する相手側である緩衝ゴム部材５の接触面５１、５２に向かって突出するように湾曲させるようにしている。
【００３２】
このため、締結バンド６によって緩衝ゴム部材５が外周に巻き付けられた状態のアキュムレータ４を支持部材３に押さえつけて固定すると、接触面５１、５２が接触面３８、３９の湾曲によって突出した部分において接触することになる。この際、アキュムレータ４が縦断面視において円筒状であり、かつ、接触面３８、３９が縦断面視において接触面５１、５２に向かって突出するように湾曲しているため、緩衝ゴム部材５が支持部材３の接触面３８、３９において略クロス状に押し潰された状態になる。すなわち、緩衝ゴム部材５の接触面５１、５２と支持部材３８、３９とが、点接触しただけの状態を避けることができる。
【００３３】
これにより、アキュムレータ４の支持部材３への取り付け位置がばらついたとしても、支持部材３と緩衝ゴム部材５とが湾曲によって突出した部分において確実に接触して支持部材３と緩衝ゴム部材５との接触位置が安定するようになる。したがって、この圧縮機１では、アキュムレータ４の固有振動特性のばらつきが低減され、製品音のばらつきを生じにくくすることができる。
【００３４】
（Ｂ）
支持部材３の接触面３８、３９の湾曲の度合いが急峻すぎると、緩衝ゴム部材５が接触面３８、３９において押し潰される際に、緩衝ゴム部材５の損傷が生じるおそれがある。
【００３５】
そこで、本実施形態の圧縮機１では、支持部材３の接触面３８、３９の湾曲の度合いを緩衝ゴム部材５の厚みｔ１の１０倍以上の曲率半径Ｒ１の曲面を有する程度の緩やかなものにしている。これにより、緩衝ゴム部材５の損傷が生じにくくすることができる。
【００３６】
＜第２実施形態＞
上記第１実施形態の圧縮機１では、支持部材３と緩衝ゴム部材５とが接触していない状態において、アキュムレータ４の中心軸線Ｏ−Ｏを縦軸としたときの縦断面視において、支持部材３の接触面３８、３９を、接触する相手側である緩衝ゴム部材５の接触面５１、５２に向かって突出するように湾曲させるようにしている（図３及び図４参照）。
【００３７】
これに対して、本実施形態の圧縮機１では、図５及び図６に示すように、支持部材３と緩衝ゴム部材５とが接触していない状態において、アキュムレータ４の中心軸線Ｏ−Ｏを縦軸としたときの縦断面視において、緩衝ゴム部材５の接触面５１、５２を、接触する相手側である支持部材３の接触面３８、３９に向かって突出するように湾曲させるようにしている。
【００３８】
より具体的には、緩衝ゴム部材５の接触面５１、５２は、アキュムレータ４の中心軸線Ｏ−Ｏを縦軸としたときの縦断面視において、接触する相手側である支持部材３の接触面３８、３９に向かって突出するように湾曲している。この接触面５１、５２の湾曲は、アキュムレータ４の円周方向に一様に形成されている。尚、接触面５１、５２の湾曲は、緩衝ゴム部材５を製造する際に形成されている。これに対して、支持部材３の接触部３４、３５の接触面３８、３９は、アキュムレータ４の中心軸線Ｏ−Ｏを縦軸としたときの縦断面視において、凹凸のない平坦な面である。
【００３９】
また、ここでは、緩衝ゴム部材５の接触面５１、５２の湾曲の度合いを、緩衝ゴム部材５の最小厚みｔ２の１倍以上の曲率半径Ｒ２の曲面を有するものとしている。ここで、緩衝ゴム部材５の最小厚みｔ２は、自由状態における最小厚みである。
尚、他の部分の構成は、第１実施形態の圧縮機１と同様であるため、ここでは説明を省略する。
【００４０】
本実施形態の圧縮機１においても、第１実施形態と同様、締結バンド６によって緩衝ゴム部材５が外周に巻き付けられた状態のアキュムレータ４を支持部材３に押さえつけて固定すると、接触面３８、３９が接触面５１、５２の湾曲によって突出した部分において接触することになる。この際、アキュムレータ４が縦断面視において円筒状であり、かつ、接触面５１、５２が縦断面視において接触面３８、３９に向かって突出するように湾曲しているため、緩衝ゴム部材５が支持部材３の接触面３８、３９において略クロス状に押し潰された状態になる。すなわち、緩衝ゴム部材５の接触面５１、５２と支持部材３８、３９とが、点接触しただけの状態を避けることができる。
【００４１】
これにより、アキュムレータ４の支持部材３への取り付け位置がばらついたとしても、支持部材３と緩衝ゴム部材５とが湾曲によって突出した部分において確実に接触して支持部材３と緩衝ゴム部材５との接触位置が安定するようになる。したがって、この圧縮機１では、アキュムレータ４の固有振動特性のばらつきが低減され、製品音のばらつきを生じにくくすることができる。
【００４２】
また、緩衝ゴム部材５の接触面５１、５２の湾曲の度合いが急峻すぎると、緩衝ゴム部材５が支持部材３の接触面３８、３９において押し潰される際に、緩衝ゴム部材５の損傷が生じるおそれがある。
【００４３】
そこで、本実施形態の圧縮機１では、緩衝ゴム部材５の接触面５１、５２の湾曲の度合いを緩衝ゴム部材５の最小厚みｔ２の１倍以上の曲率半径Ｒ２の曲面を有する程度の緩やかなものにしている。これにより、緩衝ゴム部材５の損傷が生じにくくすることができる。
【００４４】
＜他の実施形態＞
以上、本発明の実施形態について図面に基づいて説明したが、具体的な構成は、これらの実施形態に限られるものではなく、発明の要旨を逸脱しない範囲で変更可能である。
【００４５】
例えば、上記実施形態におけるアキュムレータ支持構造において、締結バンド６と支持部材３との係止や固定の構造は、爪係止やねじ固定に限定されるものではなく、種々の係止や固定の構造が適用可能である。
【産業上の利用可能性】
【００４６】
本発明は、アキュムレータが圧縮機本体に固定された支持部材に緩衝ゴム部材を介して締結バンドによって固定されている圧縮機に広く適用可能である。
【符号の説明】
【００４７】
１  圧縮機
２  圧縮機本体
３  支持部材
４  アキュムレータ
５  緩衝ゴム部材
６  締結バンド
【先行技術文献】
【特許文献】
【００４８】
【特許文献１】特開平１１−１３６６６号公報
【図１】
2010275969.tif 000003
【図２】
2010275969.tif 000004
【図３】
2010275969.tif 000005
【図４】
2010275969.tif 000006
【図５】
2010275969.tif 000007
【図６】
2010275969.tif 000008